(57)【要約】【課題】磁石ゴトを高い精度で検知することが可能なパチンコ機をローコストに提供する。【解決手段】遊技釘７の設置箇所には、リング状部材１０、電極１１ａ，１１ｂ、バネ部材１２が設けられている。リング状部材１０は磁性及び導電性を有する金属で形成され、遊技釘７に貫通された状態で保持されている。電極１１ａ，１１ｂは、遊技釘７の根元付近に位置し、バネ部材１２の付勢によってリング状部材１０と接触する。通常時は、バネ部材１２の付勢により電極１１ａ，１１ｂとリング状部材１０とが接触状態となっていて電気的に導通し、磁力によってリング状部材１０が吸引されると接触状態が解かれて導通が断たれ、ゴト行為が発生した状態と判定される【選択図】図３
2009039168.tif 000002
【特許請求の範囲】
【請求項１】
遊技球の流下方向を変化させる遊技釘が盤面に設けられた遊技盤、及び前記遊技盤の盤面を覆う透明板を備えたパチンコ機において、
磁性及び導電性を有するとともに、リング状に形成され、その開口部を前記遊技釘が貫通して保持されたリング状部材と、前記遊技盤に設けられ、前記リング状部材と接触する一対の電極と、前記リング状部材と前記電極との接触状態を検出する接触検知手段と、前記リング状部材と前記電極との接触状態が解かれたとき報知動作を行う報知手段とを備えたことを特徴とするパチンコ機。
【請求項２】
前記リング状部材と前記電極とが接触する接触位置に向かって前記リング状部材を付勢するバネ部材を設けたことを特徴とする請求項１記載のパチンコ機。
【請求項３】
前記遊技釘は、軸部と、この軸部よりも直径の大きい頭部とからなり、前記リング状部材は、前記頭部により前記遊技釘からの離脱が防止されることを特徴とする請求項１又は２記載のパチンコ機。
【発明の詳細な説明】
【技術分野】
【０００１】
本発明は、パチンコ店などの遊技場に設置されるパチンコ機に関するものである。
【背景技術】
【０００２】
遊技場に設置される遊技機としてパチンコ機がある。パチンコ機は、釘や入賞口、役物などが設けられた遊技領域を有する遊技盤を備えており、球発射装置によって打ち出されたパチンコ球が遊技領域を流下することで遊技が行われる。遊技盤の遊技領域は、ガラス板や強化プラスチックプレートなどの透明板によって覆われており、この透明板を介して遊技の状態を視認することが可能となっている。
【０００３】
一方、近年では、入賞口や役物に不正にパチンコ球を入れることによって不正に利益を得ようとする、いわゆるゴト行為を行う者がいる。そして、ゴト行為の中でも、磁石を使用することによって透明板に遮られた遊技領域内のパチンコ球を動かし、入賞口や、役物内に入賞させる磁石ゴトという行為がある。
【０００４】
そこで、特許文献１では、磁石ゴトの対策として、複数の導電片を透明板に沿って互いに接触するように配置しており、磁石ゴトによって透明板が弾性変形したとき、導電片の接触状態が解かれて報知手段が不正行為を報知する。また、特許文献２では、透明板にリードスイッチを備えており、透明板に磁力が近づくとリードスイッチが断線する。これによって磁力の有無を検知して不正行為の報知を行う。
【０００５】
さらにまた、特許文献３には、投光ユニット、受光ユニット及び制御部からなる不正遊技検知装置で、投光ユニットから一定周期で出射される複数の光束が受光ユニットに入射するように、遊技盤の所定位置に投光ユニット及び受光ユニットが対向配置されている構成が記載されており、制御部は、受光ユニットの受光状態を走査して、磁石ゴトなどの不正遊技が行われたとき、すなわち、透明板の弾性変形や、磁力によってパチンコが吸引されたときなど、投光ユニットによる光束が遮られて受光ユニットに長時間到達しなくなった場合、不正遊技の疑いがあると判定する。
【特許文献１】特開２００６−２８８５３８号公報
【特許文献２】特開２００５−１３７８７７号公報
【特許文献３】特開２００２−３３１１２５号公報
【発明の開示】
【発明が解決しようとする課題】
【０００６】
しかしながら、上記特許文献１，２記載の遊技機では、遊技領域内に導電片やリードスイッチの取り付け場所を確保することが必要となり、釘、入賞口、役物などを配列する自由度を低下させることとなる。さらに、１対の導電片または１個のリードスイッチでは検出可能な範囲が限られるため、多数のリードスイッチが必要となり、コストの面からも不利となる。また、特許文献３記載の不正遊技検知装置では、投光ユニット及び受光ユニットを対向配置する必要があるため、投光ユニットから出射される光束は、透明板から間隔を置いた位置を通過することとなり、透明板の弾性変形が少量のときや、磁力で吸い寄せられたパチンコ球が透明板に近接する位置を移動しているときは、検知されない場合がある。
【０００７】
本発明は、上記背景を鑑みてなされたものであり、磁石ゴト行為の発生を高い精度で検知することが可能なパチンコ機をローコストに提供することを目的とする。
【課題を解決するための手段】
【０００８】
上記目的を達成するために、遊技球の流下方向を変化させる遊技釘が盤面に設けられた遊技盤、及び前記遊技盤の盤面を覆う透明板を備えたパチンコ機において、磁性及び導電性を有するとともに、リング状に形成され、その開口部を前記遊技釘が貫通して保持されたリング状部材と、前記遊技盤に設けられ、前記リング状部材と接触する一対の電極と、前記リング状部材と前記電極との接触状態を検出する接触検知手段と、前記リング状部材と前記電極との接触状態が解かれたとき報知動作を行う報知手段とを備えたことを特徴とするパチンコ機。
【０００９】
なお、前記リング状部材と前記電極とが接触する接触位置に向かって前記リング状部材を付勢するバネ部材を設けたことが好ましい。また、前記釘は、軸部と、この軸部よりも直径の大きい頭部とからなり、前記リング状部材は、前記頭部により前記釘からの離脱が防止されることが好ましい。
【発明の効果】
【００１０】
本発明によれば、遊技盤と、盤面を覆う透明板と、遊技盤に設けられた釘と、磁石によって吸引される磁性及び導電性を有する金属によってリング状に形成され、前記釘に貫通されたリング状部材と、遊技盤に設けられ、前記釘と接触する一対の電極と、前記リング状部材と前記電極との接触状態を検出する接触検知手段と、前記リング状部材と前記電極との接触状態が解かれたとき報知動作を行う報知手段とを備えているので、磁石ゴト行為の発生を高い精度で検知することが可能となり、また簡単な部品構成でをローコストに提供することができる。
【発明を実施するための最良の形態】
【００１１】
図１に示すように、パチンコ機２は、本体枠３の内部に遊技盤４が配設されており、本体枠３の前面には前面扉５が開閉自在に取り付けられている。遊技盤４は、複数の遊技釘７（図２及び図３参照）、入賞口８、遊技中に様々な演出を行う役物９が盤面４ａに設けられている。前面扉５には、透明板５ａが嵌め込まれており、盤面４ａを覆っている。これにより遊技者は、透明板５ａを介して遊技の状態を視認することができる。
【００１２】
詳しくは図２及び図３に示すように、遊技釘７の設置箇所には、リング状部材１０、電極１１ａ，１１ｂ、バネ部材１２が設けられている。また、遊技釘７が設けられた遊技盤４には、遊技釘７の根元部分に、リング状部材１０の寸法に合わせた切り欠き部１３が形成されている。
【００１３】
リング状部材１０は、磁石によって吸引される磁性及び導電性を有する金属をリング状に形成したものであり、開口部１０ａが遊技釘７によって貫通された状態で保持されている。電極１１ａ，１１ｂは、切り欠き部１３の内部に、互いに所定間隔を置いて設けられており、リング状部材１０が切り欠き部１３に嵌め込まれたとき、リング状部材１０と電極１１ａ，１１ｂとが接触する接触位置となる。また、通常時、リング状部材１０は切り欠き部１３に嵌め込まれた状態となるため、盤面４ａ及び透明板５ａの隙間を流下するパチンコ球６に接触することはない。なお、本実施形態では、リング状部材１０は、金属から形成されたものを使用しているが、これに限らず、例えば非磁性及び非導電性の材質をリング状としたものに、磁性及び導電性を有する金属片を固着して形成するようにしてもよい。
【００１４】
遊技釘７は、図２に示すように、周知の頭付きのものが使用され、先端側に位置する頭部７ａと、それ以外の軸部７ｂとからなり、軸部７ｂよりも頭部７ａの直径が大きく形成されている。リング状部材１０の開口部１０ａは、遊技釘７の頭部７ａよりも小さく形成されており、頭部７ａが抜け止めとなって遊技釘７からリング状部材１０が離脱しないようになっている。
【００１５】
また、バネ部材１２は、リング状部材１０と遊技盤４との間に設けられ、電極１１ａ，１１ｂに接触する接触位置へリング状部材１０を付勢する。これによって、通常時では、リング状部材１０と電極１１ａ，１１ｂは接触状態となり、不正行為により磁力を受けたときは、リング状部材１０がバネ部材１２の付勢に抗して吸引され、電極１１ａ，１１ｂとの接触が解かれた非接触状態となる。なお、本実施形態では、バネ部材１２としては、コイルバネを用いているが、リング状部材１０を付勢するバネ部材であればよく、例えば板バネなどでもよい。
【００１６】
電極１１ａ，１１ｂは、接触検知回路２０に接続されている。なお、この接触検知回路２０は、ＣＰＵ２１によって制御され、電極１１ａ，１１ｂの通電状態から、リング状部材１０と電極１１ａ，１１ｂとの接触状態を検知し、ＣＰＵ２１へ検知信号を送る。ＣＰＵ２１には、報知スピーカ２２が接続されており、ゴト行為が発生した状態と判定されたときに音を発生してゴト行為を報知する。なお、報知手段としては、報知スピーカ２２に限らず、例えば、ゴト行為の発生を報知する図柄を画面に表示させる表示制御手段や、回転灯の点滅動作、パチンコ機の外部へ報知信号を出力してホールコンピュータへゴト行為の発生を報知するなどの方法を用いたもの、またこれらのうち２つ以上を組み合わせて構成することができる。
【００１７】
上記構成の作用について説明する。盤面４ａ及び透明板５ａの隙間にパチンコ球６が打ち出されて遊技が開始されると、入賞口８や、役物９にパチンコ球が入賞することにより賞球が払い出される。通常時、すなわち、遊技釘７に向かって磁力が作用していないときは、図３（Ａ）に示すように、バネ部材１２の付勢によって、リング状部材１０が接触位置にあり、接触検知回路２０は、リング状部材１０と電極１１ａ，１１ｂが電気的に導通していることから接触状態であることを検知する。
【００１８】
そして、遊技釘７へ向かって磁石２５を近接させる磁石ゴトが行われ、磁力が作用したときには、図３（Ｂ）に示すように、リング状部材１０が磁力によって吸引されることにより、接触位置から離反する。このとき、接触検知回路２０は、リング状部材１０と電極１１ａ，１１ｂとの電気的な導通が断たれたことから非接触状態であることを検知し、この検知信号を受けたＣＰＵ２１は、報知スピーカ２２を制御して磁石ゴト行為の発生を報知する。
【００１９】
このように、ローコストな構成で磁石ゴトを判定して報知することが可能であり、さらに、盤面４ａのほぼ全ての箇所に位置し、ゴト行為の対象となるパチンコ球６に直接接触するのが遊技釘７であるため、これらの遊技釘７に対してそれぞれ設けられたリング状部材１０及び電極１１ａ，１１ｂの接触状態からゴト行為を判定しているので、高い精度でゴト行為の発生を検知し、対処することが可能となる。
【００２０】
なお、上記実施形態においては、全ての遊技釘７の設置箇所に対してリング状部材１０及び電極１１ａ，１１ｂを設け、これらの接触状態を検知してゴト行為の有無を判定しているが、これに限らず、入賞口や役物の付近などゴト行為の対象となりやすい箇所の遊技釘７に対してだけ、リング状部材１０及び電極１１ａ，１１ｂを設けて接触状態を検知するようにしてもよい。
【図面の簡単な説明】
【００２１】
【図１】パチンコ機の正面側斜視図である。
【図２】釘及びリング状部材周辺の構成を示す斜視図である。
【図３】リング状部材の動作を示す説明図である
【符号の説明】
【００２２】
２  パチンコ機
４  遊技盤
６  パチンコ球
７  遊技釘
１０  リング状部材
１１ａ，１１ｂ  電極
【図１】
2009039168.tif 000003
【図２】
2009039168.tif 000004
【図３】
2009039168.tif 000005